(57)【要約】【課題】施工が容易であり、設置安定性の高い、折板屋根の緑化構造を提供する。【解決手段】凸部と凹部とを交互に連続形成した折板屋根の緑化構造であって、網体からなるコンテナと、緑化基盤材と、遮熱材と、により構成し、前記コンテナは、底網の周縁に側網を立設して形成した本体網と、前記箱体の上口を封鎖する蓋網と、からなり、前記コンテナは、前記折板屋根の複数の凸部上に渡設して配置し、前記緑化基盤材と前記遮熱材とを重合し、前記コンテナに収容することを特徴とする、折板屋根の緑化構造。【選択図】図１
2008125387.tif 000002
【特許請求の範囲】
【請求項１】
凸部と凹部とを交互に連続形成した折板屋根の緑化構造であって、
網体からなるコンテナと、緑化基盤材と、不織布と、遮熱材と、により構成し、
前記コンテナは、底網の周縁に側網を立設して形成した本体網と、前記箱体の上口を封鎖する蓋網と、からなり、
前記コンテナは、前記折板屋根の複数の凸部上に渡設して配置し、
前記緑化基盤材と前記不織布と前記遮熱材とを重合し、前記コンテナに収容することを特徴とする、
折板屋根の緑化構造。
【請求項２】
請求項１に記載の折板屋根の緑化構造において、前記緑化基盤材は、立体ネット状の基盤と、前記立体ネット基盤に予め付設したコケ植物と、からなることを特徴とする、折板屋根の緑化構造。
【発明の詳細な説明】
【技術分野】
【０００１】
本発明は、折板屋根の緑化に用いる緑化構造に関するものである。
【背景技術】
【０００２】
近年、地球規模の気候の変化が顕著になり、環境問題が重視されるようになってきている。ＣＯ２排出量増加に伴う地球温暖化やヒートアイランド化は大きな社会問題となっている。
地球温暖化・ヒートアイランド化対策の一つとしてビル等の建造物の屋上や壁面の緑化を推進し、ＣＯ２吸収源の拡大・冷暖房エネルギーの低減が図られている。
【０００３】
従来、折板屋根の緑化には、土や人工土壌からなる緑化基盤材にセダム類や芝等の植物を植生したものや、コケ植物等の緑化マットを利用した緑化が行われている。
【発明の開示】
【発明が解決しようとする課題】
【０００４】
従来、折板屋根の緑化を進めるにあたり、次のような問題点がある。
＜１＞セダム類や芝等の植物を植生したものは土や人工土壌の重量が多いため、建屋への負担が大きくなる。
＜２＞セダム類や芝等の植物を育成する為には灌水・施肥・刈り込み等の維持管理が必要となるが折板屋根上での作業は、危険かつ困難である。
＜３＞コケ植物による折板屋根の緑化は軽量かつ維持管理が不要である反面、
１）  土壌を使用しないため、遮熱効果が少ない。
２）  土壌を使用しないため、保水力が低く蒸散効果による温度低下効果が少ない。
３）  土壌を使用しないため、保水力が低く乾燥しやすく、コケ植物の生育が遅い。
４）  接着剤による固定工法では、経年変化などにより飛散や剥がれの恐れがある。
５）  接着剤による固定工法では、施工に手間がかかる。
【０００５】
本発明は以上の問題点を解決するためになされたもので、その目的とするところは、軽量かつ無管理の折板屋根緑化を実現し、更にコケ植物の育成環境を向上し遮熱・蒸散効果による省エネルギー・ヒートアイランド現象を緩和すると共に、施工が容易であり、設置安定性の高い緑化構造を提供することにある。
【課題を解決するための手段】
【０００６】
上記目的を達成するために成された本願の第１発明は、凸部と凹部とを交互に連続形成した折板屋根の緑化構造であって、網体からなるコンテナと、緑化基盤材と、不織布と、遮熱材と、により構成し、前記コンテナは、底網の周縁に側網を立設して形成した本体網と、前記箱体の上口を封鎖する蓋網と、からなり、前記コンテナは、前記折板屋根の複数の凸部上に渡設して配置し、前記緑化基盤材と前記不織布と前記遮熱材とを重合し、前記コンテナに収容することを特徴とする、折板屋根の緑化構造を提供する。
本願の第２発明は、前記した第1発明において、前記緑化基盤材は、立体ネット状の基盤と、前記立体ネット基盤に予め付設したコケ植物と、からなることを特徴とする、折板屋根の緑化構造を提供する。
【発明の効果】
【０００７】
本発明は、上記した課題を解決するための手段により、次のような効果の少なくとも一つを得ることができる。
＜１＞凹部空間を考慮することなく、折板屋根を緑化することができる。
＜２＞屋根を緑化することにより、省エネルギーや気温上昇の緩和に役立つ。
＜３＞コンテナは金網製の箱体であるため、安定して設置することができる。
＜４＞土等の緑化基材が不要であるため軽量であり、容易に施工することができる。
＜５＞軽量であるため、建屋への負担を小さくすることができる。
＜６＞植物としてコケを用いるため、通年管理が不要となる。
【発明を実施するための最良の形態】
【０００８】
以下、図面を参照しながら本発明の実施の形態について説明する。
【０００９】
＜１＞  折板屋根の緑化構造の概要
本発明は、凸部と凹部とが連続形成された折板屋根の緑化構造に関するものである。
本発明の緑化構造は、図１に示すように、本体網１１と蓋網１２とからなるコンテナ１０に、緑化基盤材２０、遮熱材３０及び不織布４０を内包し、折板屋根５０上に設置するものである。
以下、各構成部品について詳述する。
【００１０】
＜２＞コンテナ
コンテナ１０は、内部に緑化基盤材２０、遮熱材３０及び不織布４０を収容するためのものである。コンテナ１０は折板屋根５０上に設置する。
コンテナ１０は、矩形の底網１１１の周縁に側網１１２を立設して形成した本体網１１と、本体網１１の上口を封鎖する矩形の蓋網１２とにより構成する。
コンテナ１０は、図２に示すように、底網１１１が折板屋根５０の凸部５１間を渡設し、凹部５２を塞ぐように配置する。
各網は鋼線からなる金網等、公知の網体により構成する。
【００１１】
＜３＞緑化基盤材
緑化基盤材２０は、コンテナ１０に収容するものである。
緑化基盤材２０は、図３に示すように、公知の緑化シートや緑化マット等からなる立体ネット状の基盤材２１と、基盤材２１表面に植生したスナゴケやハイゴケ等のコケ植物２２とからなる。
コケ植物２２は根といわれる通導組織がなく、必要な水分や養分を植物体表面から吸収するため、砂等の土壌を用いずに植生できる。よって、軽量な緑化基盤材２０を構成することが出来る。
またコケ植物２２は、刈込みや施肥等の維持管理が不要である。
【００１２】
＜４＞遮熱材
遮熱材３０は、緑化基盤材２０及び不織布４０と重合してコンテナ１０に収容するものである。
遮熱材３０は発泡スチロール等の板体である。
遮熱材３０は、図２に示すように、上面に不織布４０と緑化基盤材２０とを重合し、折板屋根５０と不織布４０との間に配置する。
この配置により、緑化基盤材２０と、折板屋根５０の凹部により形成される空間Ｓとの間に遮熱材３０が配されるため、空間Ｓが緑化基盤材２０に与える影響を遮熱材３０が緩和し、緑化基盤材２０の乾燥によってコケ植物２２が枯れ死することを防止できる。
また、遮熱材３０には断熱効果があり、緑化基盤材２０と組み合わせることにより、緑化構造の断熱効果がより一層高まり、建屋への熱負荷を低減することができる。
【００１３】
＜５＞不織布
緑化基盤材２０と遮熱材３０を重合する際に、図２に示すように、緑化基盤材２０と遮熱材３０との間に不織布４０を挟んで配置する。
空間Ｓが緑化基盤材２０に与える影響を遮熱材３０が緩和すると共に、不織布４０が保水することにより、緑化基盤材２０の乾燥によってコケ植物２２が枯れ死することを防止できる。
【００１４】
［作用］
次に、折板屋根の緑化構造を用いた緑化方法について説明する。
【００１５】
＜１＞本体網の設置
本体網１１を折板屋根５０上に設置する。
図４に示すように、本体網１１は、折板屋根５０に取り付けられた剣先ボルト６１と、剣先ボルト６１に螺合するナット６２により、固定具６０を介して固定する。その他にも、ボルト６３を折板屋根５０に螺設し、固定具６０を介して固定することができる。
本体網１１は網製であるため、軽量であり、施工が容易である。
【００１６】
コンテナ１０を複数個並べて緑化構造を構成する場合には、図５に示すように、底網１１１の周縁の対向する２辺に側網１１２を立設した本体網１１Ａを末端に配置し、周縁の一辺に側網１１２を立設した本体網１１Ｂを、側網１１２が平行となるように、且つ、側網１１２を立設しない底辺が本体網１１Ａ側となるように並べて構成する。
側網１１２が折板屋根５０の傾斜方向と直交するようにコンテナ１０を配置することで、コンテナ１０に収容する緑化基盤材２０および遮熱材３０の落下を防止することができる。
【００１７】
＜２＞遮熱材、緑化基盤材の設置
本体網１１の底網１１１上に遮熱材３０を配置し、その上面に不織布４０及び緑化基盤材２０を重合して配置する。
緑化基盤材２０、遮熱材３０、不織布４０は全て軽量であるため、施工が容易である。
【００１８】
＜３＞蓋網の設置
蓋網１２を、本体網１１の上口部を封鎖するように、結束線１３やボルトを介して、本体網１１に固定する。コンテナ１０を複数個並べて緑化構造を構成する場合には、図５に示すように、蓋網１２を複数の本体網１１の上口部を封鎖する大きさとし、隣接するコンテナの側網１１２上辺と蓋網１２をまとめて結束線１３にて固定することもできる。
蓋網１２で上口部を封鎖するため、緑化基盤材２０が剥がれたり飛散したりするのを防止できる。
【００１９】
コンテナ１０、緑化基盤材２０、遮熱材３０、不織布４０は全て軽量であるため、緑化構造も軽量となり、建屋への負担を小さくすることができる。
また、コンテナ１０は箱体状となるため、折板屋根上に安定して設置することができる。
【図面の簡単な説明】
【００２０】
【図１】本発明の折板屋根の緑化構造の分解説明図
【図２】本発明の折板屋根の緑化構造の断面図
【図３】本発明の緑化基盤材の説明図
【図４】本発明の折板屋根の緑化構造の使用方法の説明図
【図５】本発明の折板屋根の緑化構造の使用方法の説明図
【符号の説明】
【００２１】
１０      コンテナ
１１      本体網
１１１    底網
１１２    側網
１２      蓋網
１３      結束線
２０      緑化基盤材
２１      基盤材
２２      コケ植物
３０      遮熱材
４０      不織布
５０      折板屋根
５１      凸部
５２      凹部
６０      固定具
６１      剣先ボルト
６２      ナット
６３      ボルト
【図１】
2008125387.tif 000003
【図２】
2008125387.tif 000004
【図３】
2008125387.tif 000005
【図４】
2008125387.tif 000006
【図５】
2008125387.tif 000007